(57)【特許請求の範囲】
【請求項１】
金銭的価値に対応する金額情報を記憶するプリペイドカードを複数の仕向先毎に発行する初期記録手段と、前記プリペイドカードを処理する読書手段と、前記読書手段と通信により接続されている上位処理手段と、を備え、前記プリペイドカードを用いて金銭的決済を行うプリペイドカードシステムにおいて、
前記初期記録手段は、プリペイドカード媒体に初期記録日付情報及び複数の仕向先毎に異なる初期値を起点として１枚ずつ増加する通番情報を含む所定の初期記録情報を記録して、複数の仕向先にそれぞれ対応する前記プリペイドカードとして発行する手段と、特定の仕向先に発行したプリペイドカードに付与した通番の最終値を超える値を、前記特定の仕向先の次にプリペイドカードを発行する仕向先のプリペイドカードに記録する通番の初期値として設定する初期値設定手段と、を備え、
前記読書手段は、セットされたプリペイドカードの前記金額情報を消費金額に応じて更新し、且つ該消費金額を含む売上情報を、前記初期記録情報及び前記通番情報を含むカード情報と共に、前記上位処理手段に送信する手段を備え、
前記上位処理手段は、前記プリペイドカードの前記消費金額を含む売上情報及び当該プリペイドカードの消費に係るカード情報を収集し、前記初期記録情報及び前記通番情報に基づいて仕向先を弁別し、複数の仕向先毎に独立に決済処理する手段を備える、
ことを特徴とするプリペイドカードシステム。
【請求項２】
金銭的価値に対応する金額情報を記憶するプリペイドカードを複数の仕向先毎に発行する初期記録手段と、前記プリペイドカードを処理する読書手段と、前記読書手段と通信により接続されている中継手段と、前記中継手段と通信により接続されている決済手段と、を備え、前記プリペイドカードを用いて金銭的決済を行うプリペイドカードシステムにおいて、
前記初期記録手段は、プリペイドカード媒体に初期記録日付情報及び複数の仕向先毎に異なる初期値を起点として１枚ずつ順次増加する通番情報を含む所定の初期記録情報を記録して、複数の仕向先にそれぞれ対応する前記プリペイドカードとして発行する手段と、特定の仕向先に発行したプリペイドカードに付与した通番の最終値を超える値を、前記特定の仕向先の次にプリペイドカードを発行する仕向先のプリペイドカードに記録する通番の初期値として設定する初期値設定手段と、を備え、
前記読書手段は、セットされたプリペイドカードの前記金額情報を消費金額に応じて更新し、且つ該消費金額を含む売上情報を、前記初期記録情報及び前記通番情報を含むカード情報と共に、前記上位処理手段に送信する手段を備え、
前記中継手段は、前記プリペイドカードの前記消費金額を含む売上情報及び当該プリペイドカードの消費に係るカード情報を収集する手段を備え、
前記決済手段は、前記中継手段により収集された前記消費金額を含む売上情報及び消費に係るカード情報を収集し、前記初期記録情報及び前記通番情報に基づいて、前記プリペイドカードの仕向先を弁別し、複数の仕向先毎に独立に決済処理する手段を備える、
ことを特徴とするプリペイドカードシステム。
【請求項３】
プリペイドカードシステムの金銭的決済に供すべく金銭的価値に対応する金額情報を記憶するプリペイドカード媒体に情報を記録してプリペイドカードとして発行する初期記録装置において、
前記プリペイドカードの発行日を示す初期記録日付情報を逐次生成するとともに、複数の仕向先毎に異なる初期値に設定され且つ各プリペイドカード毎に順次増加する通番情報を生成する日付／通番制御手段と、
前記日付／通番制御手段で生成される初期記録日付情報及び通番情報を含む所定の初期記録情報を前記プリペイドカード媒体に記録する記録制御手段と、を備え、
前記日付／通番制御手段は、特定の仕向先に発行したプリペイドカードに付与した通番の最終値を超える値を、前記特定の仕向先の次にプリペイドカードを発行する仕向先のプリペイドカードに記録する通番の初期値として設定する、
ことを特徴とする初期記録装置。
【請求項４】
前記日付／通番制御手段は、前記初期記録日付情報の更新により前記通番情報を前記初期値にリセットする手段を含むことを特徴とする請求項３に記載の初期記録装置。
【請求項５】
プリペイドカード媒体に初期記録日付情報及び複数の仕向先毎に異なる初期値を起点として１枚ずつ増加する通番情報を含む所定の初期記録情報を記録して、複数の仕向先にそれぞれ対応する前記プリペイドカードとして発行する手段と、特定の仕向先に発行したプリペイドカードに付与した通番の最終値を超える値を、前記特定の仕向先の次にプリペイドカードを発行する仕向先のプリペイドカードに記録する通番の初期値として設定する初期値設定手段と、を備える初期記録装置により発行されたプリペイドカードについて、売上情報、並びに当該プリペイドカードの初期記録日付情報及び通番情報を含むカード情報に基づいて決済処理を行う決済装置において、
前記カード情報から当該プリペイドカードの初期記録日付情報及び通番情報を抽出し、該初期記録日付情報及び通番情報に基づいて当該プリペイドカードの仕向先を弁別するカード判別手段と、
前記カード判別手段で弁別された仕向先毎に独立に前記売上情報を決済処理する決済処理手段と、
を備えることを特徴とする決済装置。
【発明の詳細な説明】
【０００１】
【発明の属する技術分野】
本発明は、プリペイドカードを金額消費に応じて処理するシステムに係り、特に複数の仕向先のプリペイドカードの生産及び決済処理を共通のシステムにて行うプリペイドカードシステム、初期記録装置及び決済装置に関する。
【０００２】
【従来の技術】
金銭的価値に対応する金額情報を記憶するプリペイドカードを金銭的決済に用いるプリペイドカードシステムが実現されている。
【０００３】
プリペイドカードシステムでは、通常の場合、複数の店舗においてサービスが提供される。例えば、各店舗には、複数の読書装置及びこれら読書装置の上位処理装置である中継装置等が設置されている。読書装置は、プリペイドカードを使用するための端末装置であり、この読書装置においては、プリペイドカードに記憶される金額情報に基づいて、遊技媒体の貸出及び物品の販売等の対価として当該プリペイドカードが消費される。中継装置は、店舗内の複数の読書装置等を例えばプリペイドカードの発行元に設置された決済センタに結合し、該決済センタとの間で通信を行って読書装置等の管理及び消費金額の処理を行う。
【０００４】
すなわち、プリペイドカードは、例えば店舗に設置された読書装置を用いることによって、遊技媒体の貸出等の対価として消費される。このプリペイドカードの消費に際して、読書装置は、消費金額を計上して決済処理に供し、且つ該消費金額に応じて、プリペイドカードに記憶される金額情報を更新する。このプリペイドカードの金額情報の更新時に、予め定めた残額範囲に該当する場合には、プリペイドカードの残額範囲に対応する所定個所に残額目安パンチ孔の穿孔が行われる。プリペイドカードの消費による読書装置の売上情報は、例えば中継装置によって収集され、該中継装置は、支配下の各読書装置の売上情報を集計して決済センタに送信する。このようにして、プリペイドカードの消費決済が行われる。
【０００５】
プリペイドカードの記憶情報には、カード発行時すなわちエンコードと称される初期記録時に設定され、以後の消費等によって変更されることがないカード識別情報（カードＩＤ）、製造元を示す製造元コード及び製造日（初期記録日）情報等の固定的な情報と、残額等を示す金額情報及びエラー発生時におけるエラーコード等のように以後の消費等の処理によって随時更新されるべき流動的な情報とが含まれる。
【０００６】
一方、プリペイドカードは、金銭的価値を持っていることから、偽造、及び変造等による不正が行われるおそれがある。そこで、読書装置においては、金額情報等の読取時及び更新時に、エラーのチェックを行うと同時に、変造、偽造及び不正使用等による正常でない不正なプリペイドカードを検知するようにしている。このような不正プリペイドカードの検知にあたっては、一般に、プリペイドカードの記憶情報及びパンチ孔情報、並びにそれらの履歴等に矛盾する内容が含まれていれば不正としている。
【０００７】
中継装置は、複数の読書装置から売上情報及びカード情報等を収集している。売上情報は、上述した読書装置におけるプリペイドカードの消費に係る金額情報であり、カード情報は読書装置において発券された不正プリペイドカードの識別情報等の使用可能なプリペイドカード又は排除すべきプリペイドカード等の判別情報である。
【０００８】
中継装置は、読書装置から収集した売上情報を蓄積／加工して決済センタに転送するとともに、読書装置から収集したカード情報の、他の読書装置からの参照を可能とし、プリペイドカードの不正の弁別に供する。
【０００９】
ところで、上述のプリペイドカードシステムは、カード生産工場を有するカード発行会社等のカード発行元が直接自社のプリペイドカードシステムによってサービスを提供する場合の他に、他社のプリペイドカードシステムを借用してサービスを提供する場合がある。この場合、他社のシステムを借用してサービスを提供する会社では、システムの借用先で生産されるプリペイドカードを用い、該借用先の決済センタ等のシステムを借用してサービスを行う。
【００１０】
すなわち、当該他社、つまり借用先となる会社、では、自社のプリペイドカードを生産する他、システムを貸与する貸与先のプリペイドカードを生産する。また、システムを貸与する場合、決済センタも自社のプリペイドカードの決済を処理する他に、システムを貸与する貸与先のプリペイドカードの決済処理を行う。このような、システムの貸与を行う会社では、貸与先は１社とは限らないため、複数社のプリペイドカードを製造し、決済センタ等のシステムにおいて複数社のプリペイドカードを決済処理することになる。
【００１１】
例えば、プリペイドカードのカード生産工場及び決済センタ等のシステムを有するＡ社において、カード生産工場で自社（Ａ社）のプリペイドカードを生産し、決済センタ等のシステムで自社加盟店（Ａ社加盟店）のプリペイドカードを決済処理するだけでなく、カード生産工場でＢ社のプリペイドカードを生産し、決済センタ等のシステムでＢ社加盟店のプリペイドカードを決済処理する場合がある。
【００１２】
このような場合、Ａ社の決済センタ等のシステムにＢ社の加盟店を接続し、Ａ社のカード生産工場で生産した初期記録済（エンコード済）のプリペイドカードをＢ社加盟店に提供する。そして、Ａ社のカード生産工場で記録されたプリペイドカードの提供を含むＡ社のシステム全体を、Ｂ社が借用してＢ社のプリペイドカードサービスを提供する。
【００１３】
【発明が解決しようとする課題】
上述したように、Ａ社において、自社のプリペイドカードの他に、他社、すなわちＢ社、のプリペイドカードを生産し且つ決済処理する場合には、次のような条件が発生する。
【００１４】
（１）  Ａ社は、Ａ社のカード生産工場において、Ａ社の加盟店に必要な枚数のプリペイドカードを生産するとともに、Ｂ社の加盟店に必要な枚数のプリペイドカードも生産する。
【００１５】
（２）  Ｂ社加盟店ヘのプリペイドカードの販売はＢ社が実施するため、Ａ社のカード生産工場で生産するプリペイドカードの外観は、仕向先によって相違する。つまり、Ａ社向けのプリペイドカードとＢ社向けのプリペイドカードとで外観は異なる。
【００１６】
（３）  外観だけでなく、プリペイドカードに記録されたデータからも、Ａ社とＢ社との区別をすることができなければならない。
【００１７】
（４）  Ｂ社は、Ａ社のシステムを利用するだけであるので、Ｂ社の加盟店でのプリペイドカードの販売枚数及び使用情報等は、当然Ｂ社において把握することができなければならない。
【００１８】
（５）  セキュリティ上の観点から、Ａ社はＢ社の会社コードを使用してプリペイドカードを生産することはできない。すなわち、Ａ社はＢ社の会社コードでプリペイドカードを生産してはならない。
【００１９】
（６）  プリペイドカードの生産は、管理者及びオぺレータ等を含めて、全てＡ社において実施する。
【００２０】
（７）  カードに記録されるカード記録情報、すなわち地区コード及び店コード等のカード制御情報を含む記録情報、の一部のデータを、Ｂ社を示すコードとして提供することはできない。なぜならば、該記録情報の一部のデータにＢ社のコードを記録することは、Ａ社のコードのアイテムの選択の幅を狭めることになるからである。Ａ社では、所定の“法則（規則）”に従って、各アイテムのデータの内容を制御情報として使用する。このため、あるアイテムのデータを一意にＢ社用として提供することができないのである。
【００２１】
そこで、アイテムのデータ内容は、現在と同様に任意に設定可能とし、アイテムのコードとしてＢ社用のコードを提供することなく、Ａ社とＢ社とのプリペイドカードを区別して生産し且つ決済等の処理をすることが要求されている。
【００２２】
本発明は、上述した事情に鑑みてなされたもので、プリペイドカードに記録されるアイテムのデータ内容は任意に設定可能とし、アイテムとしてサービス提供社識別用のコードを提供することなく、複数社用のプリペイドカードを個々に区別して生産し且つ処理することを可能とするプリペイドカードシステム、初期記録装置及び決済装置を提供することを目的とする。
【００２３】
【課題を解決するための手段】
上記目的を達成するため、本発明の第１の観点に係るプリペイドカードシステムは、
金銭的価値に対応する金額情報を記憶するプリペイドカードを複数の仕向先毎に発行する初期記録手段と、前記プリペイドカードを処理する読書手段と、前記読書手段と通信により接続されている上位処理手段と、を備え、前記プリペイドカードを用いて金銭的決済を行うプリペイドカードシステムにおいて、
前記初期記録手段は、プリペイドカード媒体に初期記録日付情報及び複数の仕向先毎に異なる初期値を起点として１枚ずつ増加する通番情報を含む所定の初期記録情報を記録して、複数の仕向先にそれぞれ対応する前記プリペイドカードとして発行する手段と、特定の仕向先に発行したプリペイドカードに付与した通番の最終値を超える値を、前記特定の仕向先の次にプリペイドカードを発行する仕向先のプリペイドカードに記録する通番の初期値として設定する初期値設定手段と、を備え、
前記読書手段は、セットされたプリペイドカードの前記金額情報を消費金額に応じて更新し、且つ該消費金額を含む売上情報を、前記初期記録情報及び前記通番情報を含むカード情報と共に、前記上位処理手段に送信する手段を備え、
前記上位処理手段は、前記プリペイドカードの前記消費金額を含む売上情報及び当該プリペイドカードの消費に係るカード情報を収集し、前記初期記録情報及び前記通番情報に基づいて仕向先を弁別し、複数の仕向先毎に独立に決済処理する手段を備える。
【００２４】
このような構成によれば、初期記録手段が、仕向先を示すコード等を一切記録することなく、初期記録の日付情報及び仕向先毎に初期値を異ならせた通番情報を記録して、プリペイドカードを初期記録し、上位処理手段が、初期記録の日付及び通番情報に基づいて、仕向先を弁別し、各別に処理することができる。
【００２５】
また、本発明の第２の観点に係るプリペイドカードシステムは、
金銭的価値に対応する金額情報を記憶するプリペイドカードを複数の仕向先毎に発行する初期記録手段と、前記プリペイドカードを処理する読書手段と、前記読書手段と通信により接続されている中継手段と、前記中継手段と通信により接続されている決済手段と、を備え、前記プリペイドカードを用いて金銭的決済を行うプリペイドカードシステムにおいて、
前記初期記録手段は、プリペイドカード媒体に初期記録日付情報及び複数の仕向先毎に異なる初期値を起点として１枚ずつ順次増加する通番情報を含む所定の初期記録情報を記録して、複数の仕向先にそれぞれ対応する前記プリペイドカードとして発行する手段と、特定の仕向先に発行したプリペイドカードに付与した通番の最終値を超える値を、前記特定の仕向先の次にプリペイドカードを発行する仕向先のプリペイドカードに記録する通番の初期値として設定する初期値設定手段と、を備え、
前記読書手段は、セットされたプリペイドカードの前記金額情報を消費金額に応じて更新し、且つ該消費金額を含む売上情報を、前記初期記録情報及び前記通番情報を含むカード情報と共に、前記上位処理手段に送信する手段を備え、
前記中継手段は、前記プリペイドカードの前記消費金額を含む売上情報及び当該プリペイドカードの消費に係るカード情報を収集する手段を備え、
前記決済手段は、前記中継手段により収集された前記消費金額を含む売上情報及び消費に係るカード情報を収集し、前記初期記録情報及び前記通番情報に基づいて、前記プリペイドカードの仕向先を弁別し、複数の仕向先毎に独立に決済処理する手段を備える。
【００２６】
このような構成によれば、初期記録手段が、仕向先を示すコード等を一切記録することなく、初期記録の日付情報及び仕向先毎に初期値を異ならせた通番情報を記録して、プリペイドカードを初期記録し、決済手段が、初期記録の日付及び通番情報に基づいて、仕向先を弁別し、各別に処理することができる。
【００２７】
前記初期記録手段は、前記初期記録日付情報の更新時にその都度前記通番情報を前記初期値にリセットする手段を含んでいてもよい。
【００２８】
本発明の第３の観点に係る初期記録装置は、
プリペイドカードシステムの金銭的決済に供すべく金銭的価値に対応する金額情報を記憶するプリペイドカード媒体に情報を記録してプリペイドカードとして発行する初期記録装置において、
前記プリペイドカードの発行日を示す初期記録日付情報を逐次生成するとともに、複数の仕向先毎に異なる初期値に設定され且つ各プリペイドカード毎に順次増加する通番情報を生成する日付／通番制御手段と、
前記日付／通番制御手段で生成される初期記録日付情報及び通番情報を含む所定の初期記録情報を前記プリペイドカード媒体に記録する記録制御手段と、を備え、
前記日付／通番制御手段は、特定の仕向先に発行したプリペイドカードに付与した通番の最終値を超える値を、前記特定の仕向先の次にプリペイドカードを発行する仕向先のプリペイドカードに記録する通番の初期値として設定する。
【００２９】
このような構成によれば、初期記録装置は、仕向先を示すコード等を一切記録することなく、初期記録の日付情報及び仕向先毎に初期値を異ならせた通番情報を記録して、プリペイドカードを初期記録することができ、決済等の処理時に、初期記録の日付及び通番情報に基づいて、仕向先を弁別し、各別に処理することが可能となる。
【００３０】
前記日付／通番制御手段は、前記初期記録日付情報の更新により前記通番情報を前記初期値にリセットする手段を含んでいてもよい。
【００３１】
本発明の第４の観点に係る決済装置は、
プリペイドカード媒体に初期記録日付情報及び複数の仕向先毎に異なる初期値を起点として１枚ずつ増加する通番情報を含む所定の初期記録情報を記録して、複数の仕向先にそれぞれ対応する前記プリペイドカードとして発行する手段と、特定の仕向先に発行したプリペイドカードに付与した通番の最終値を超える値を、前記特定の仕向先の次にプリペイドカードを発行する仕向先のプリペイドカードに記録する通番の初期値として設定する初期値設定手段と、を備える初期記録装置により発行されたプリペイドカードについて、売上情報、並びに当該プリペイドカードの初期記録日付情報及び通番情報を含むカード情報に基づいて決済処理を行う決済装置において、
前記カード情報から当該プリペイドカードの初期記録日付情報及び通番情報を抽出し、該初期記録日付情報及び通番情報に基づいて当該プリペイドカードの仕向先を弁別するカード判別手段と、
前記カード判別手段で弁別された仕向先毎に独立に前記売上情報を決済処理する決済処理手段と、
を備える。
【００３２】
このような構成によれば、初期記録の日付情報及び仕向先毎に初期値を異ならせた通番情報が記録されたプリペイドカードに対し、決済処理手段が、初期記録の日付及び通番情報に基づいて、仕向先を弁別して、各別に処理することができる。
【００３３】
前記カード判別手段は、前記初期記録日付情報及び前記通番情報と仕向先とを対応付けて格納したテーブル情報を参照して、各プリペイドカードの仕向先を弁別する手段を含んでいてもよい。
【００３４】
【発明の実施の形態】
以下、本発明に係るプリペイドカードシステムを、その実施の形態について、図面を参照して説明する。
【００３５】
本発明の実施の形態に係るプリペイドカードシステムの構成を図１に示している。
【００３６】
図１に示すプリペイドカードシステムは、初期記録装置１、読書装置２、中継装置３及び決済センタ４を備えている。初期記録装置１及び決済センタ４は、カード発行会社、例えばＡ社、のようなカード発行元Ｄの管理下に設けられている。初期記録装置１はＡ社のカード生産工場Ｍに設置されている。一般に、カード発行元Ｄに対応する店舗は複数存在するが、この場合、カード発行元ＤであるＡ社に加盟する複数の店舗ＳＡ及びカード発行元ＤであるＡ社からシステムを借用する他社、例えばＢ社、に加盟する複数の店舗ＳＢが存在する。各店舗ＳＡ又はＳＢには、複数個の読書装置２及びこれら読書装置２を決済センタ４に接続する中継装置３が設置されている。
【００３７】
中継装置３は各店舗ＳＡ又はＳＢに１個とは限らず、例えば店舗ＳＡ又はＳＢ内の所定の領域、例えばホール及びフロア毎に中継装置３が１個ずつ設けられていてもよい。すなわち、中継装置３は、店舗ＳＡ又はＳＢ毎の複数個の読書装置２、店舗ＳＡ又はＳＢ内のホール毎の複数個の読書装置２あるいは店舗ＳＡ又はＳＢ内のフロア毎の複数個の読書装置２と、決済センタ４と、の間に設けられる。
【００３８】
このプリペイドカードシステムでは、カード発行元（Ａ社）Ｄのカード生産工場Ｍで製造され発行されたプリペイドカードが店舗ＳＡ又はＳＢに販売され、さらに店舗ＳＡ又はＳＢで利用者に販売される。利用者は、店舗ＳＡ又はＳＢにおいて、例えば遊技媒体の貸出等のようなサービス提供の対価をプリペイドカードにより支払うことができる。
【００３９】
このサービス提供及び支払いは、店舗ＳＡ又はＳＢに設置された読書装置２を用いて行われ、プリペイドカードに金額情報として記憶されている金額が消費される。店舗ＳＡ又はＳＢは、読書装置２で消費された金額に基づく売上情報を中継装置３において集計して、適宜蓄積・加工する。
【００４０】
中継装置３は、集計した読書装置２の消費金額に基づく売上情報をカード発行元Ｄの決済センタ４に送信する。カード発行元ＤのＡ社は、Ａ社に加盟する各店舗ＳＡから決済センタ４において受信した金額情報に相当する金額を売上金として各加盟店舗ＳＡに支払う。また、Ｂ社は、カード発行元ＤのＡ社から情報を得て、Ｂ社に加盟する各店舗ＳＢから決済センタ４において受信した金額情報に相当する金額を売上金として加盟各店舗ＳＢに支払う。
【００４１】
このプリペイドカードシステムで使用するプリペイドカードを、図２を参照して説明する。図２に示すように、プリペイドカードＣは、磁性層を用いた磁気的な情報記憶部Ａを持ち、該情報記憶部Ａは、初期記録日付情報領域Ａ１、通番情報領域Ａ２、金額情報領域Ａ３及びその他の情報領域Ａ４を有する。
【００４２】
初期記録日付情報領域Ａ１には、当該プリペイドカードＣにカード発行元（Ａ社）Ｄのカード生産工場Ｍの初期記録装置１において初期記録情報が記録された際の初期記録日付情報が書き込まれる。また、通番情報領域Ａ２には、当該プリペイドカードＣにカード生産工場Ｍの初期記録装置１において初期記録情報が記録された際の当該初期記録日付におけるシリアルナンバすなわち通番を示す通番情報が書き込まれる。この通番は、仕向先毎に初期値を異ならせている。例えばＡ社向けのプリペイドカードＣの初期値を「０」として、Ａ社向けのプリペイドカードＣをＸ枚発行した後に、Ｂ社向けのプリペイドカードＣを発行する場合、Ｂ社向けのプリペイドカードＣの初期値を「Ｙ」（Ｙ＞Ｘ）とする。そして、これらいずれの場合にも、プリペイドカードＣを１枚発行する毎に通番は「＋１」される。
【００４３】
この通番は、初期記録日付が更新された場合には、新たに初期設定される。これら初期記録日付情報及び通番情報は、エンコード時、すなわち初期記録時、に一旦設定された後は、消費等によって変更されることがない固定的な情報である。
【００４４】
金額情報領域Ａ３には、残額情報等の金額情報が記録される。該金額情報は、使用・消費によって随時更新、変更又は追加される流動的な情報である。金額情報以外のこの種の流動的な情報、例えばエラー発生時におけるエラーコード、店舗ＳＡ及びＳＢにおける発券時に書き込まれる店舗コード等の情報、は、その他の情報領域Ａ４に書き込まれる。その他の情報領域Ａ４には、さらに、プリペイドカードＣのカード識別情報、つまりカードＩＤ及び製造元を示す製造元コード等のような固定的な情報等も書込まれる。プリペイドカードＣに記録されるこれらの情報は、通常の場合、所定の暗号鍵によって暗号化されている。
【００４５】
初期記録装置１は、カード発行元（Ａ社）Ｄのカード生産工場Ｍに設置されてプリペイドカードＣを発行するための装置である。すなわち、初期記録装置１は、予め用意された初期記録情報として、プリペイドカードＣのカード識別情報、製造元を示す製造元コード、初期記録日付情報及び通番情報等のように、初期記録時に一旦設定された後は、消費等によって変更されることがない固定的な情報を、初期記録日付情報領域Ａ１、通番情報領域Ａ２及びその他の情報領域Ａ４に書き込む。
【００４６】
初期記録日付情報領域Ａ１には、初期記録情報の記録が行われた日付を示す日付情報が記録される。通番情報領域Ａ２には、当該初期記録日付におけるシリアルナンバ、すなわち当該日付において何枚目に生産されたかに対応する通番情報が記録される。この場合、自社（Ａ社）向けのプリペイドカードＣを所定枚数生産した後に、他社（Ｂ社）向けのプリペイドカードＣを所定枚数生産したとすると、Ａ社のプリペイドカードＣの生産時には、通番の初期値を「０」に設定して、逐次通番を付し、Ｂ社のプリペイドカードＣの生産時には、通番の初期値をＡ社の通番の最終値を超える値を設定して、逐次通番を付す。これら初期記録日付情報及び通番情報以外の固定的な情報はその他の情報領域Ａ４に記録される。
【００４７】
なお、初期記録装置１は、初期記録日付に対応する通番情報の仕向先毎の範囲の情報を、プリペイドカードＣの生産時に、決済センタ４に通知する。
【００４８】
同時に、初期記録装置１は、残額情報等の金額情報のように、使用・消費によって随時更新、変更又は追加される流動的な情報の初期情報を、金額情報領域Ａ３及び必要ならばその他の情報領域Ａ４に書き込む。金額情報領域Ａ３には、残額情報のような金額情報が記録され、その他の流動的な情報があればその他の情報領域Ａ４に記録される。
【００４９】
初期記録装置１は、これらの情報に必要に応じて適宜暗号化を施してから、初期記録日付情報領域Ａ１、通番情報領域Ａ２、金額情報領域Ａ３及びその他の情報領域Ａ４に書き込み、プリペイドカードＣを生産し、発行する。この初期記録装置１により発行されたプリペイドカードＣは、通常の場合、そのままでは使用することができず、店舗ＳＡ又はＳＢに搬送され、発券機（図示せず）に収納されて、該発券機による所定の発券処理を経て初めて使用可能となる。
【００５０】
読書装置２は、例えば、遊技媒体の貸出等を行う物販機（図示せず）に接続されており、物販機が利用者に提供した遊技媒体等の対価をプリペイドカードＣに記憶されている金額情報における残額から差し引くことにより、プリペイドカードＣの消費を具体化するための装置である。
【００５１】
この読書装置２は、プリペイドカードＣがセットされると、まず、情報記憶部Ａの初期記録日付情報領域Ａ１、通番情報領域Ａ２、金額情報領域Ａ３及びその他の情報領域Ａ４に記録されている情報を読出し且つ残額目安パンチ孔の穿孔状況等を検出して、通常の矛盾検出等の不正チェック処理を行う。例えば、読書装置２は、プリペイドカードＣの情報記憶部Ａの記憶情報及びパンチ孔情報等に矛盾があるか否かをチェックし、矛盾があれば、当該プリペイドカードＣに何らかの不正又は不具合があると判定する。
【００５２】
不正又は不具合があると判定された場合、読書装置２は、当該プリペイドカードＣの使用を阻止して排出するとともに、中継装置３に不正プリペイドカードのカードＩＤ等を含む検知データを送信する。
【００５３】
なお、中継装置３は、他の読書装置２で不正プリペイドカードと判定されたプリペイドカードのカードＩＤの通知データを受信し、使用可／不可を示す登録データベースに対して使用不可として登録し、読書装置２による不正チェック処理における使用可／不可の照会に供する。
【００５４】
中継装置３は、店舗ＳＡ及びＳＢ内の各読書装置２において消費金額として処理された金額に基づき且つ初期記録日付及び通番情報を含む売上情報を集約して、決済センタ４に送信する。決済センタ４は、中継装置３から受信した初期記録日付及び通番情報を含む売上情報について、初期記録日付及び通番情報から仕向先がＡ社であるかＢ社であるかを、予めカード生産工場Ｍの初期記録装置１から通知された情報をもとに弁別し、各社毎に個別の決済処理を行う。
【００５５】
初期記録装置１は、図３に示すように構成されている。図３に示す初期記録装置１は、操作部１１、記録制御部１２、記憶部１３、リーダ／ライタ１４、日付／通番制御部１５及びカード収納部１６を備えている。
【００５６】
操作部１１は、当該初期記録装置１におけるカード生産の起動及び終了、操作並びに仕向先に応じた通番初期値の設定操作などを行う。
【００５７】
記録制御部１２は、当該初期記録装置１における初期情報記録制御を行う。すなわち、プリペイドカードＣの生産に際しては、各日付毎に、仕向先毎にまとめてプリペイドカードＣを生産する。記録制御部１２は、カード収納部１６から１枚ずつプリペイドカード媒体を取り出し、リーダ／ライタ１４において、日付／通番制御部１５を介して初期記録日付情報及び仕向先に応じた通番情報を含む初期記録情報を書き込んで、プリペイドカードＣとして発行する。初期記録日付情報の更新後の各仕向先のプリペイドカードＣの生産開始時には、日付／通番制御部１５により、通番が各仕向先に応じた初期値にセットされる。
【００５８】
記憶部１３は、記録制御部１２における初期記録処理に必要な情報を予め格納するとともに、初期記録処理の過程で発生した中間情報を一時記憶する。リーダ／ライタ１４は、記録制御部１２の制御のもとにカード収納部１６から１枚ずつ取り出したプリペイドカード媒体に上述したような初期記録情報を書き込む。
【００５９】
日付／通番制御部１５は、初期記録日付情報及び通番情報を発生し、且つこれらを記録制御部１２の制御に従って上述のように制御する。すなわち、日付／通番制御部１５は、日付毎に当日の初期記録日付情報を生成する。また、日付／通番制御部１５は、例えば、ある日、Ａ社向けのプリペイドカードＣをＸ＋１枚生産してから、Ｂ社向けのプリペイドカードＣをＺ＋１枚生産するものとすると、まず、Ａ社向けのプリペイドカードＣの生産時には、通番の初期値を「０」とし、逐次通番を「＋１」ずつ増加させながらＸ＋１枚目の通番「Ｘ」まで、通番を生成する。次に、日付／通番制御部１５は、同日にＢ社向けのプリペイドカードＣをＺ＋１枚生産する際には、通番の初期値をＸを超えるように適宜設定した「Ｙ」とし、逐次通番を「＋１」ずつ増加させながらＺ＋１枚目の通番「Ｙ＋Ｚ」まで、通番を生成する。さらに、日付／通番制御部１５は、このようにして生成した初期記録日付情報及び通番情報を記録制御部１２に逐次供給すると同時に、仕向先毎の初期記録日付情報及び通番情報範囲の情報を決済センタ４に通知する。
【００６０】
カード収納部１６は、磁気記録層を有し、カード状に形成された磁気記録媒体に所定の印刷が施されたプリペイドカード媒体を予め多数収納し、プリペイドカードの生産に際して、１枚ずつリーダ／ライタ１４に供給する。
【００６１】
また、読書装置２は、図４に示すように構成されている。図４に示す読書装置２は、通信処理部２１、消費処理部２２、記憶部２３及びリーダ／ライタ２４を備えている。
【００６２】
通信処理部２１は、消費処理部２２と中継装置３との間の通信を行う。通信処理部２１は、例えば、中継装置３からの要求コマンドに対するレスポンスとして、読書装置２におけるプリペイドカードＣの消費金額情報、初期記録日付情報及び通番情報を含む売上情報を記憶部２３から読み出して中継装置３に送信する。
【００６３】
消費処理部２２は、遊技媒体等の物品を提供するなどして消費操作を実行する物販機（図示していない）等に連動し、遊技媒体等の提供に対応するプリペイドカードＣの消費に基づき、リーダ／ライタ２４を介してプリペイドカードＣの金額情報等の記憶情報を更新するとともに、消費金額情報、初期記録日付情報及び通番情報を含む売上情報を記憶部２３に蓄積する。記憶部２３は、日常の消費処理部２２における消費金額の処理に基づく消費金額情報、初期記録日付情報及び通番情報を含む売上情報を格納蓄積する。
【００６４】
消費処理部２２は、リーダ／ライタ２４にプリペイドカードＣが挿入された時には、まず、該プリペイドカードＣが適正なものであるか否かなどをチェックする。
【００６５】
例えば、消費処理部２２は、リーダ／ライタ２４を介して、残額目安パンチ孔を検出し、プリペイドカードＣに記憶されている金額情報との間で矛盾がないかなどを確認する。が残額目安パンチ孔と金額情報との間で矛盾がないなど、プリペイドカードＣが正常であると判定されれば、リーダ／ライタ２４は、当該プリペイドカードＣが正常であるとして、残額情報を消費処理部２２に与える。
【００６６】
残額目安パンチ孔と金額情報とに矛盾がある場合など、プリペイドカードＣが不正であると判定されれば、消費処理部２２は、当該プリペイドカードＣを不正であるとして排除し、使用を阻止する。また、消費処理部２２において、残額目安パンチ孔と金額情報とに矛盾があるなどとして、プリペイドカードＣが不正であると判定した場合には、消費処理部２２は、中継装置３に当該プリペイドカードＣのカードＩＤを送信して、登録データベースに使用不可として登録する。
【００６７】
プリペイドカードＣから読み取られた金額情報は、消費処理部２２により処理されて残額情報が記憶部２３に書き込まれる。さらに、消費処理部２２における消費金額情報に応じて、該残額情報を更新し、同様にプリペイドカードＣの金額情報を（必要に応じて暗号化して）更新する。
【００６８】
また、消費処理部２２は、金額情報の更新により、新たな金額情報を書込む際に、更新後の残額に基づき必要に応じて、リーダ／ライタ２４を介して残額目安パンチ孔を穿孔する。
【００６９】
また、中継装置３は、図５に示すように構成されている。図５に示す中継装置３は、通信処理部３１、中継処理部３２、記憶部３３及びデータベース部３４を備えている。
【００７０】
通信処理部３１は、中継処理部３２と読書装置２との間、並びに中継処理部３２と決済センタ４との間の通信を行う。通信処理部３１は、例えば、読書装置２を走査すべく、順次周期的に要求コマンドを送信し、それに対するレスポンスとして、読書装置２から初期記録日付情報及び通番情報を含む売上情報を収集する。また、通信処理部３１は、例えば、所定期間毎に、又は決済センタ４からの要求コマンドに対するレスポンスとして、売上情報を記憶部３３から読み出して決済センタ４に送信する。通信処理部３１は、その他の必要な情報を、決済センタ４との間で、随時、適切なる手法にて授受することが可能である。
【００７１】
中継処理部３２は、通信処理部３１を介して読書装置２から収集した初期記録日付情報及び通番情報を含む売上情報に、所要の処理を施した後、データベース部３４に蓄積する。中継処理部３２は、データベース部３４に蓄積された初期記録日付情報及び通番情報を含む売上情報を抽出し、通信処理部３１を介して決済センタ４に送出して、決済処理に供する。
【００７２】
中継処理部３２は、通信処理部３１を介して、読書装置２から、使用可否の照会のためのカード情報を受信すると、データベース部３４を参照し、当該カード情報に対応するプリペイドカードＣの使用の可否について応答する。
【００７３】
中継処理部３２は、通信処理部３１を介して、読書装置２において、矛盾等の検出により、使用不可と判定したプリペイドカードＣのカード情報を受信すると、当該カード情報をデータベース部３４に使用不可として登録する。
【００７４】
記憶部３３は、中継処理部３２の処理に必要なデータ、並びに処理の過程において一時的に又は結果として発生するデータを格納する。
【００７５】
データベース部３４は、中継処理部３２により、読書装置２から収集し、ソート及び集計等の加工を施したカード情報、並びに初期記録日付情報及び通番情報を含む売上情報を格納する。データベース部３４に蓄積されたカード情報は、使用可能なプリペイドカードの登録データベースを構成している。
【００７６】
そして、決済センタ４は、図６に示すように構成されている。図６に示す決済センタ４は、通信処理部４１、決済処理部４２、カード判別部４３、記憶部４４及びデータ格納部４５を備えている。
【００７７】
通信処理部４１は、決済処理部４２と中継装置３との間の通信を行う。通信処理部４１は、例えば、中継装置３から周期的にあるいは適切なるタイミングで送信される初期記録日付情報及び通番情報を含む売上情報を受信する。通信処理部４１は、その他の必要な情報を、中継装置３との間で、随時、適切なる手法にて授受することが可能である。
【００７８】
決済処理部４２は、通信処理部４１を介して中継装置３から収集した初期記録日付情報及び通番情報を含む売上情報をカード判別部４３による仕向先の弁別結果に基づき、仕向先毎に独立に決済処理を行って、その結果をデータ格納部４５に格納する。
【００７９】
カード判別部４３は、カード生産工場Ｍの初期記録装置１から各初期記録日付毎の各仕向先に対応する通番範囲情報が通知されると、それを例えば仕向先弁別テーブルとして内部に蓄積する。仕向先弁別テーブルは、初期記録日付及び通番を与えれば、該当する仕向先を得ることができるように構成する。カード判別部４３は、決済処理部４２から売上情報に含まれる初期記録日付情報及び通番情報を受けると、これらに基づいて、例えば仕向先弁別テーブルを参照するなどして仕向先を弁別し、決済処理部４２に仕向先情報を与える。
【００８０】
記憶部４４は、決済処理部４２の処理に必要なデータ、並びに処理の過程において一時的に又は結果として発生するデータを格納する。
【００８１】
データ格納部４５は、決済処理部４２による決済処理の結果を仕向先毎に格納し、支払等の処理に供する。
【００８２】
次に、上述したプリペイドカードシステムにおける処理について、図７〜図１２に示すフローチャートを参照して説明する。まず、初期記録装置１における初期記録処理について、図７を参照して説明する。図７に示す初期記録処理は、１日の初めに初期記録装置１に電源が投入されると、その都度起動される。
【００８３】
初期記録装置１を起動すると、まず、操作部１１を介して生産しようとするプリペイドカードＣの仕向先及び額面金額等の券種を設定する（ステップＳ１）。記録制御部１２は、日付／通番制御部１５により、初期記録日付を設定する（ステップＳ２）。
【００８４】
そして、日付／通番制御部１５は、通番を所定の初期値に設定する（ステップＳ３）。例えば、その日の最初の仕向先、例えばＡ社、のプリペイドカードＣを生産する際には、日付／通番制御部１５は、通番の初期値を、例えば「０」に設定する。また、その日に、例えばＡ社のプリペイドカードＣをＸ＋１枚生産した後に、他社、例えばＢ社、のプリペイドカードＣを生産する際には、日付／通番制御部１５は、通番の初期値を、例えば「Ｘ」を超える適切なる値、「Ｙ」（Ｙ＞Ｘ）に設定する。
【００８５】
さらに、記録制御部１２は、カード収納部１６からプリペイドカード媒体を１枚取り出してリーダ／ライタ１４にセットし（ステップＳ４）、リーダ／ライタ１４を介して初期記録日付及び通番等を含む初期情報を記録する（ステップＳ５）。
【００８６】
記録制御部１２は、操作部１１を介して終了指示が与えられているか否かを確認し（ステップＳ６）、終了指示が与えられていなければ、通番を１ステップ進めて、すなわち「＋１」して（ステップＳ７）、ステップＳ４に戻り、カード収納部１６から次の１枚のプリペイドカード媒体を取り出して上述の処理を繰り返す。ステップＳ６において、操作部１１を介して終了指示が与えられていると判定された場合には、プリペイドカードＣを生産する初期記録処理を終了する。
【００８７】
次に、上述したプリペイドカードシステムにおける消費処理について、図８及び図９に示すフローチャートを参照して説明する。図８に示す消費処理は、読書装置２のリーダ／ライタ２４にプリペイドカードＣがセットされるとその都度起動される。
【００８８】
読書装置２の消費処理部２２は、プリペイドカードＣがセットされると、まず、リーダ／ライタ２４を介して、情報記憶部Ａの初期記録日付情報領域Ａ１、通番情報領域Ａ２、金額情報領域Ａ３及びその他の情報領域Ａ４に記録されている情報を読出し且つ残額目安パンチ孔の穿孔状況等を検出するなどして、当該プリペイドカードＣが正常か否かをチェックするカードチェック処理を実行する（ステップＳ１１）。
【００８９】
このカードチェック処理において、消費処理部２２は、プリペイドカードＣの情報記憶部Ａの記憶情報及びパンチ孔情報等の矛盾をチェックする。消費処理部２２は、記憶情報及びパンチ孔情報等の矛盾があれば、当該プリペイドカードＣに何らかの不正又は不具合があり異常であると判定し、当該プリペイドカードＣの使用を阻止して排出するとともに、中継装置３に不正プリペイドカードのカード識別情報等を含む検知データを送信する。
【００９０】
消費処理部２２は、リーダ／ライタ２４を介して異常が検出されない場合には、さらに、リーダ／ライタ２４を介して金額情報を読出し、必要に応じて、所定の暗号鍵を用いて復号した可変情報からプリペイドカードＣの残額を確認し、記憶部２３に格納する（ステップＳ１２）。
【００９１】
残額があれば、利用者からの終了スイッチ（図示せず）の押下による終了要求の有無を調べ（ステップＳ１３）、終了要求がなければ、消費スイッチ（図示せず）の押下による消費要求、例えば遊技媒体の貸出要求、の有無を調べる（ステップＳ１４）。例えば、遊技システム等の場合、終了スイッチは、カードの返却を要求するカード返却スイッチであり、消費スイッチは、遊技媒体の貸出を要求する貸出スイッチである。
【００９２】
ステップＳ１４で、利用者からの消費要求があれば、利用者に遊技媒体を貸出すなどして、消費を行わせる（ステップＳ１５）。消費処理部２２は、もとの残額から消費額を減算し、この減算結果を新たな残額とするように、記憶部２３に記憶されている残額を更新する（ステップＳ１６）。
【００９３】
そして、更新後の新たな残額が“０”であるか否かを調べ（ステップＳ１７）、残額が“０”であれば、その旨のメッセージを表示して（ステップＳ１８）、消費処理を終了するための終了処理に移行する（ステップＳ１９）。終了処理の終了後は消費処理を終了して、待機状態に戻る。
【００９４】
ステップＳ１２において、プリペイドカードＣの残額がない場合及び残額が確認できない場合には、直ちにステップＳ１９にジャンプして終了処理を実行する。ステップＳ１３において、終了要求が認識された場合にも直ちにステップＳ１９にジャンプして終了処理を実行する。
【００９５】
ステップＳ１４において、消費要求がない場合には、ステップＳ１３に戻り、終了要求又は消費要求を待つ。ステップＳ１７において、差し引き残額が“０”にならず、残額が残っている場合にも、ステップＳ１３に戻り、終了要求又は消費要求を待つ。
【００９６】
図８のステップＳ１９の終了処理の詳細を図９に示している。終了処理が開始されると、その時点で記憶部２３に記憶されている最終残額に基づいて、プリペイドカードＣの情報記憶部Ａの金額情報領域Ａ３に対する残額等の金額情報を（必要に応じて所定の暗号鍵を用いて暗号化するなどして）更新書込みし（ステップＳ２１）、更新後の残額が残額目安パンチ孔の穿孔が必要な金額か否かを調べる（ステップＳ２２）。
【００９７】
残額目安パンチ孔の穿孔が必要な金額とは、プリペイドカードＣに度数値として印刷された残額領域のうちの従前の領域とは異なる領域に新たに入る金額である。このような金額であるときは、リーダ／ライタ２４により、残額目安パンチ孔が穿孔される（ステップＳ２３）。残額目安パンチ孔の穿孔後は、リーダ／ライタ２４からプリペイドカードＣを排出する（ステップＳ２４）。そして、処理を終了し、消費処理に戻る。
【００９８】
また、ステップＳ２２で、更新後の残額が残額目安パンチ孔の穿孔が必要な金額でないと判定された場合には、ステップＳ２３をスキップしてステップＳ２４に移行し、プリペイドカードＣを排出する。
【００９９】
さらに、上述したプリペイドカードシステムの中継装置３における中継処理について、図１０及び図１１に示すフローチャートを参照して説明する。図１０に示すデータ収集処理は、読書装置２における消費による売上情報を収集するための処理であり、中継装置３において所定時間毎に起動される。
【０１００】
すなわち、中継装置３においては、中継処理部３２が、配下の読書装置２を逐次走査指定し（ステップＳ３１）、各読書装置２に未収集の売上情報が有るか否かをチェックする（ステップＳ３２）。読書装置２に未収集の売上情報が有れば、中継処理部３２は、該売上情報、すなわち初期記録日付情報及び通番情報を含む売上情報を取り込み、データベース部３４に格納する（ステップＳ３３）。そして、配下の読書装置２に未チェックの売上情報が残っているか否かをチェックして（ステップＳ３４）、売上情報が残っていなければ処理を終了して待機状態に戻る。
【０１０１】
ステップＳ３２において、読書装置２に未収集の売上情報がなければ、その読書装置２では、前回以後消費が行われていないので、該中継処理部３２は、ステップＳ３３の初期記録日付情報及び通番情報を含む売上情報の取込みをスキップして、ステップＳ３４の未指定の読書装置２の有無の判定を行う。ステップＳ３４の未指定の読書装置２の有無の判定で、未指定の読書装置２が有ると判定された場合には、ステップＳ３１に戻り、読書装置２の走査指定における次の読書装置２を指定する。
【０１０２】
一方、図１１に示すデータ転送処理は、読書装置２から収集した初期記録日付情報及び通番情報を含む売上情報を決済センタ４へ転送するための処理であり、中継装置３において、読書装置２における消費時及び終業時等の適切なる所定時に起動される。
【０１０３】
すなわち、中継装置３においては、中継処理部３２が、データベース部３４に決済センタ４への送信待ちの未収集の売上情報が有るか否かをチェックする（ステップＳ３５）。データベース部３４に未収集の売上情報が有れば、中継処理部３２は、その初期記録日付情報及び通番情報を含む売上情報を、決済センタ４へ送信して（ステップＳ３６）、処理を終了し、待機状態に戻る。中継処理部３２は、データベース部３４に決済センタ４への送信待ちの未収集の売上情報が残っていないと判定した場合には、ステップＳ３６の売上情報の決済センタ４への送信を行わずに、処理を終了し、待機状態に戻る。
【０１０４】
次に、上述したプリペイドカードシステムの決済センタ４における決済処理について、図１２に示すフローチャートを参照して説明する。図１２に示す決済処理は、Ａ社及びＢ社について、各別に売上情報の決済を行うための処理であり、決済センタ４において中継装置３から売上情報を受信するとその都度起動される。
【０１０５】
すなわち、決済センタ４においては、決済処理部４２が、配下の中継装置３から売上情報を受信すると、まず、プリペイドカードＣ毎に売上情報を抽出する（ステップＳ４１）。すなわち、単一のプリペイドカードＣに関する売上情報が与えられた場合には、決済処理部４２は、それをそのまま用い、複数のプリペイドカードＣに関する売上情報が与えられた場合には、決済処理部４２は、プリペイドカードＣ毎の売上情報を抽出する。次に、決済処理部４２は、売上情報に含まれる初期記録日付情報及び通番情報を取り出し、カード判別部４３に与えて、仕向先がＡ社であるかＢ社であるかを弁別させる（ステップＳ４３）。
【０１０６】
カード判別部４３は、予めカード生産工場Ｍの初期記録装置１から与えられている初期記録日付情報及び通番情報に基づいて構成した仕向先弁別テーブルを参照するなどして、当該売上情報の仕向先を弁別し、Ａ社であれば、決済処理部４２は、Ａ社の決済処理を行って（ステップＳ４４）、未処理のプリペイドカードＣが残っているか否かを確認し（ステップＳ４５）、残っていなければ処理を終了して、待機状態に戻る。
【０１０７】
ステップＳ４３において、カード判別部４３により当該売上情報の仕向先がＢ社であると判別されれば、決済処理部４２はＢ社の決済処理を行って（ステップＳ４６）、ステップＳ４５の未処理のプリペイドカードＣが残っているか否かの確認に移行する。ステップＳ４５において、未処理のプリペイドカードＣが残っている場合にはステップＳ４１に戻り、上述の処理を繰り返す。
【０１０８】
このようにして、プリペイドカードＣには、カード生産工場Ｍの初期記録装置１において、固有の初期記録日付及び通番が付与される。すなわち、初期記録装置１では、プリペイドカードＣを１枚初期記録する毎に通番を「＋１」し、次のプリペイドカードＣにはその「＋１」した通番を記録する。また、初期記録装置１は、日付が変わると新しい日付で、通番（のカウンタ）を初期値に戻し、同様に通番を「＋１」して逐次プリペイドカードＣの初期記録を行う。
【０１０９】
店舗ＳＡ又はＳＢにおいて、プリペイドカードＣを使用すると、読書装置２はプリペイドカードＣの初期記録日付情報及び通番情報と、消費に基づく売上情報を中継装置３を介して決済センタ４ヘ通知する。
【０１１０】
初期記録装置１は、２４時間（１日）の運転に必要なカウント値（カウンタ）に相当する値までの通番情報を、プリペイドカードＣに記録することができる。但し、プリペイドカードＣ自体の通番情報領域Ａ２には、それ以上の通番情報を記録することができる容量が有る。
【０１１１】
例えば、Ａ社でのカード生産工場Ｍの１日当たりの初期記録装置１の稼働時間が７時間だとする。７時間当たりに生産されるカード枚数をＸ＋１枚とすると、通番は「０」番から「Ｘ」番までプリペイドカードに付与されることになる。
【０１１２】
例えば、図１３に仕向先弁別テーブルの一例を示すように、Ｄ年Ｄ月Ｄ日に（０番から）８０，０００番迄がＡ社向けのプリペイドカードＣに付与されたとする。その後に、プリペイドカードＣの券種をＢ社向けに変更して生産を開始するとき、初期記録装置１の通番の初期値を所望に応じて設定できるようにしておき、例えばＢ社向けのプリペイドカードＣの通番の初期値を１００，０００番として、生産を開始することができるようにしている。そのため、通番は設定した初期値、すなわち１００，０００番から（１８０，０００番まで）逐次記録されることになる。ただし、この場合、初期記録装置１は、その初期記録日付の中で既に付与した通番よりも、若い（小さい）通番を設定することはできない。
【０１１３】
同様にして、Ｄ年Ｄ月Ｅ日には、例えば、Ａ社向けに０〜６０，０００の通番が付され、Ｂ社向けに７０，０００〜１３０，０００の通番が付される。
【０１１４】
そこで、例えば図１４に示すように、初期記録日付がＤ年Ｄ月Ｄ日付の通番６８，０００のプリペイドカードＣを読書装置２にセットして使用すると、初期記録日付情報及び通番情報を含む売上情報が中継装置３を介して決済センタ４に供給され、決済センタ４において、図１３のような仕向先弁別テーブルを参照してＡ社の売上として決済される。また、初期記録日付がＤ年Ｄ月Ｄ日付の通番１０５，０００のプリペイドカードＣを読書装置２にセットして使用すると、売上情報が決済センタ４に供給され、決済センタ４において、図１３の仕向先弁別テーブルを参照してＢ社の売上として決済される。
【０１１５】
このようにすると、Ａ社から見れば、Ｂ社加盟店向けの場合にも、プリペイドカードＣへのデータ付与等をＡ社加盟店と同様に設定すれば良く、アイテムの内容を全く気にする必要がない。また、Ｂ社のコードをＡ社が知る必要もないので、セキュリティ上の管理も非常に容易になる。さらに決済センタ４では、プリペイドカードＣの初期記録日付及び通番情報の組み合わせにより、使用されたカードがＡ社の物かＢ社の物かを容易に且つ確実に区別することができる。
【０１１６】
このようにして、初期記録装置１が、仕向先を示すコード等を一切記録することなく、初期記録の日付情報及び仕向先毎に初期値を異ならせた通番情報を記録して、プリペイドカードＣを初期記録し、決済センタ４において、初期記録の日付及び通番情報に基づいて、仕向先を弁別し、各別に処理することができる。
【０１１７】
なお、決済センタ４を仕向先毎に設けて、中継装置３により仕向先を弁別して各決済センタ４に売上情報を送信するようにしたり、決済センタ４の前段に中継装置３から送信される売上情報の仕向先を弁別する手段を設けるようにしたりしてもよい。
【０１１８】
なお、上記プリペイドカードは磁気カードに限定されず、ＩＣカードでもよい。この場合、ＩＣカードは、上記情報記憶部Ａに記憶されている情報をメモリに記憶するＩＣチップを有する。
【０１１９】
本発明のプリペイドカードシステムは、専用のプリペイドカードシステムとして構成することなく、通常のコンピュータシステムを用いて実現することができる。例えば、コンピュータシステムに上述の動作を実行するためのプログラムを格納した媒体（フロッピーディスク、ＣＤ−ＲＯＭ等）から該プログラムをインストールすることにより、上述の処理を実行するシステムを構築することができる。インストールによって、当該プログラムは、コンピュータシステム内のハードディスク等の媒体に格納されて、システムを構成し、実行に供される。
【０１２０】
また、コンピュータにプログラムを供給するための媒体は、狭義の記憶媒体に限らず、通信回線、通信ネットワーク及び通信システムのように、一時的且つ流動的にプログラム等の情報を保持する通信媒体等を含む広義の記憶媒体であってもよい。
【０１２１】
例えば、インターネット等の通信ネットワーク上に設けたＦＴＰ（Ｆｉｌｅ  Ｔｒａｎｓｆｅｒ  Ｐｒｏｔｏｃｏｌ）サーバに当該プログラムを登録し、ＦＴＰクライアントにネットワークを介して配信してもよく、通信ネットワークの電子掲示板（ＢＢＳ：Ｂｕｌｌｅｔｉｎ  Ｂｏａｒｄ  Ｓｙｓｔｅｍ）等に該プログラムを登録し、これをネットワークを介して配信してもよい。そして、このプログラムを起動し、ＯＳ（Ｏｐｅｒａｔｉｎｇ  Ｓｙｓｔｅｍ）の制御下において実行することにより、上述の処理を達成することができる。さらに、通信ネットワークを介してプログラムを転送しながら起動実行することによっても、上述の処理を達成することができる。
【０１２２】
【発明の効果】
以上説明したように、本発明によれば、初期記録時に、初期記録の日付情報及び仕向先毎に初期値を異ならせた通番情報を記録し、初期記録の日付及び通番情報に基づいて、仕向先を弁別するようにして、プリペイドカードに記録されるアイテムのデータ内容は任意に設定可能とし、アイテムとしてサービス提供社識別用のコードを提供することなく、複数社用のプリペイドカードを個々に区別して生産し且つ処理することを可能とするプリペイドカードシステム、初期記録装置及び決済装置を提供することができる。
【図面の簡単な説明】
【図１】本発明の実施の形態に係るプリペイドカードシステムの構成を模式的に示すブロック図である。
【図２】図１のプリペイドカードシステムで使用するプリペイドカードを模式的に示す図である。
【図３】図１のプリペイドカードシステムにおける初期記録装置の構成を模式的に示すブロック図である。
【図４】図１のプリペイドカードシステムにおける読書装置の構成を模式的に示すブロック図である。
【図５】図１のプリペイドカードシステムにおける中継装置の構成を模式的に示すブロック図である。
【図６】図１のプリペイドカードシステムにおける決済センタの構成を模式的に示すブロック図である。
【図７】図１のプリペイドカードシステムにおける初期記録装置の初期記録処理を説明するためのフローチャートである。
【図８】図１のプリペイドカードシステムにおける読書装置の消費処理を説明するためのフローチャートである。
【図９】図８の消費処理における終了処理を説明するためのフローチャートである。
【図１０】図１のプリペイドカードシステムにおける中継装置のデータ収集処理を説明するためのフローチャートである。
【図１１】図１のプリペイドカードシステムにおける中継装置のデータ転送処理を説明するためのフローチャートである。
【図１２】図１のプリペイドカードシステムにおける決済センタの決済処理を説明するためのフローチャートである。
【図１３】図１のプリペイドカードシステムにおける仕向先弁別テーブルの内容の一例を説明するための模式図である。
【図１４】図１のプリペイドカードシステムにおけるプリペイドカードの仕向先の弁別処理を説明するための模式図である。
【符号の説明】
１    初期記録装置
２    読書装置
３    中継装置
４    決済センタ
１１    操作部
１２    記録制御部
１３    記憶部
１４    リーダ／ライタ
１５    日付／通番制御部
１６    カード収納部
２１    通信処理部
２２    消費処理部
２３    記憶部
２４    リーダ／ライタ
３１    通信処理部
３２    中継処理部
３３    記憶部
３４    データベース部
４１    通信処理部
４２    決済処理部
４３    カード判別部
４４    記憶部
４５    データ格納部
Ｃ    プリペイドカード
Ｄ    カード発行元（Ａ社）
Ｍ    カード生産工場
ＳＡ    店舗（Ａ社加盟店）
ＳＢ    店舗（Ｂ社加盟店）
【図１】
0003572214.tif 000002
【図２】
0003572214.tif 000003
【図３】
0003572214.tif 000004
【図４】
0003572214.tif 000005
【図５】
0003572214.tif 000006
【図６】
0003572214.tif 000007
【図７】
0003572214.tif 000008
【図８】
0003572214.tif 000009
【図９】
0003572214.tif 000010
【図１０】
0003572214.tif 000011
【図１１】
0003572214.tif 000012
【図１２】
0003572214.tif 000013
【図１３】
0003572214.tif 000014
【図１４】
0003572214.tif 000015